(57)【要約】      （修正有）【課題】正しい設置姿勢から倒れにくく安定しており、構造が簡単で組み立てが容易なイーゼルスタンドを提供する。【解決手段】イーゼルスタンド１は、シート体１０と、シート体１０を折曲線１１に沿って折り曲げた一方の領域に形成される載置部２０と、シート体１０を折曲線１１に沿って折り曲げた他方の領域に形成されるスタンド部３０と、載置部２０からスタンド部３０に向かって延びる載置部側腕部４０と、スタンド部３０から載置部２０に向かって延びるスタンド部側腕部５０と、載置部側腕部４０とスタンド部側腕部５０の一方に形成された係合爪４３と、載置部側腕部４０とスタンド部側腕部５０の他方に形成された係合孔５２と、を有し、係合爪４３を係合孔５２に係合することにより、載置部２０とスタンド部３０が鋭角をなした状態で連結される。【選択図】図３
0003218718.tif 000002
【実用新案登録請求の範囲】
【請求項１】
シート体と、
前記シート体を折曲線に沿って折り曲げた一方の領域に形成される載置部と、
前記シート体を折曲線に沿って折り曲げた他方の領域に形成されるスタンド部と、
前記載置部から前記スタンド部に向かって延びる載置部側腕部と、
前記スタンド部から前記載置部に向かって延びるスタンド部側腕部と、
前記載置部側腕部と前記スタンド部側腕部の一方に形成された係合爪と、
前記載置部側腕部と前記スタンド部側腕部の他方に形成された係合孔と、
を有し、
前記係合爪を前記係合孔に係合することにより、前記載置部と前記スタンド部が鋭角をなした状態で連結される、
ことを特徴とするイーゼルスタンド。
【請求項２】
前記係合爪は、単一の係合爪から構成されており、
前記係合孔は、単一の係合孔から構成されている、
ことを特徴とする請求項１に記載のイーゼルスタンド。
【請求項３】
前記係合爪は、単一の係合爪から構成されており、
前記係合孔は、複数の係合孔から構成されており、
前記単一の係合爪を前記複数の係合孔のいずれかに選択的に係合することにより、前記載置部と前記スタンド部がなす角度が変更される、
ことを特徴とする請求項１に記載のイーゼルスタンド。
【請求項４】
前記複数の係合孔は、前記折曲線と平行な方向と前記折曲線と直交する方向の少なくとも一方の位置を異ならせて配置されている、
ことを特徴とする請求項３に記載のイーゼルスタンド。
【請求項５】
前記載置部側腕部は、前記載置部の一部をカットして載置部側折曲線に沿って折り曲げることで形成されており、
前記スタンド部側腕部は、前記スタンド部の一部をカットしてスタンド部側折曲線に沿って折り曲げることで形成されている、
ことを特徴とする請求項１から請求項４のいずれかに記載のイーゼルスタンド。
【考案の詳細な説明】
【技術分野】
【０００１】
本考案は、イーゼルスタンドに関する。
【背景技術】
【０００２】
特許文献１には、１枚のシート状のブランクを折罫線によるヒンジに沿って折り曲げることにより組立て可能なイーゼルスタンドが開示されている。
【０００３】
特許文献１のイーゼルスタンドは、その一態様では、正面板とこれに折罫線を介して連設された底面板とからなる商品支持部と、商品支持部を自立せしめるスタンド部とを有している。スタンド部は、正面板の最上部からトップヒンジを介して連設された背面板と、背面板から左右の足板ヒンジを介して連設された左右の足板と、背面板から足板固定板ヒンジを介して連設された足板固定板とを有している。左右の足板は、足板固定板を足板固定板ヒンジを軸として回転させて引き起こすことによって固定される。左右の足板の先端に設けられた係止突起が、底面板の先端に係止することにより、商品支持部とスタンド部とが一体に固定される。
【０００４】
特許文献１のイーゼルスタンドは、別の態様では、正面板とこれに折罫線を介して順次連設された底面板と、前垂れ板とからなる商品支持部と、商品支持部を自立せしめるスタンド部とを有している。スタンド部は、正面板の最上部からトップヒンジを介して連設された背面板と、背面板から左右の足板ヒンジを介して連設された左右の足板と、背面板から足板固定板ヒンジを介して連設された足板固定板とを有している。左右の足板は、足板固定板を足板固定板ヒンジを軸として回転させて引き起こすことによって固定される。正面板と底面板の間の折罫線上に設けられた切込みによって形成された係止突起と、足板の先端の付け根部分に設けられた底板係止溝とが係合することによって、商品支持部とスタンド部とが一体に固定される。
【先行技術文献】
【特許文献】
【０００５】
【特許文献１】実用新案登録第３２１５５４６号公報
【考案の概要】
【考案が解決しようとする課題】
【０００６】
しかしながら、特許文献１を含む従来のイーゼルスタンドは、正しい設置姿勢から倒れやすく、不安定であるという問題がある。この問題を解決するためにイーゼルスタンドに工夫を施すと、イーゼルスタンドの構造が複雑になり、組み立てが困難になってしまう。
【０００７】
本考案は、上記の問題意識に基づいて完成されたものであり、正しい設置姿勢から倒れにくく安定しており、構造が簡単で組み立てが容易なイーゼルスタンドを提供することを目的とする。
【課題を解決するための手段】
【０００８】
本実施形態のイーゼルスタンドは、シート体と、前記シート体を折曲線に沿って折り曲げた一方の領域に形成される載置部と、前記シート体を折曲線に沿って折り曲げた他方の領域に形成されるスタンド部と、前記載置部から前記スタンド部に向かって延びる載置部側腕部と、前記スタンド部から前記載置部に向かって延びるスタンド部側腕部と、前記載置部側腕部と前記スタンド部側腕部の一方に形成された係合爪と、前記載置部側腕部と前記スタンド部側腕部の他方に形成された係合孔と、を有し、前記係合爪を前記係合孔に係合することにより、前記載置部と前記スタンド部が鋭角をなした状態で連結される、ことを特徴としている。
【０００９】
前記係合爪は、単一の係合爪から構成されており、前記係合孔は、単一の係合孔から構成されていてもよい。
【００１０】
前記係合爪は、単一の係合爪から構成されており、前記係合孔は、複数の係合孔から構成されており、前記単一の係合爪を前記複数の係合孔のいずれかに選択的に係合することにより、前記載置部と前記スタンド部がなす角度が変更されてもよい。
【００１１】
前記複数の係合孔は、前記折曲線と平行な方向と前記折曲線と直交する方向の少なくとも一方の位置を異ならせて配置されていてもよい。
【００１２】
前記載置部側腕部は、前記載置部の一部をカットして載置部側折曲線に沿って折り曲げることで形成されており、前記スタンド部側腕部は、前記スタンド部の一部をカットしてスタンド部側折曲線に沿って折り曲げることで形成されていてもよい。
【考案の効果】
【００１３】
本考案によれば、正しい設置姿勢から倒れにくく安定しており、構造が簡単で組み立てが容易なイーゼルスタンドを提供することができる。
【図面の簡単な説明】
【００１４】
【図１】第１実施形態に係るイーゼルスタンドの組立状態を示す斜視図である。
【図２】第１実施形態に係るイーゼルスタンドの非組立状態を示す平面図である。
【図３】第１実施形態に係るイーゼルスタンドの組立工程を示す段階図である。
【図４】第２実施形態に係るイーゼルスタンドの非組立状態を示す平面図である。
【図５】第２実施形態に係るイーゼルスタンドの組立状態を示す斜視図である。
【図６】第３実施形態に係るイーゼルスタンドの非組立状態を示す平面図である。
【図７】第３実施形態に係るイーゼルスタンドの組立状態を示す斜視図である。
【図８】第４実施形態に係るイーゼルスタンドの組立状態を示す斜視図である。
【図９】第５実施形態に係るイーゼルスタンドの組立状態を示す斜視図である。
【図１０】第６実施形態に係るイーゼルスタンドの組立状態を示す斜視図である。
【考案を実施するための形態】
【００１５】
≪第１実施形態≫
図１〜図３を参照して、第１実施形態に係るイーゼルスタンド１について説明する。イーゼルスタンド１は、所定の厚み（例えば数ミリメートル）を持つ単一のシート体１０を有している。すなわち、単一のシート体１０に適宜の工夫を施してこれを組み立てることによって、イーゼルスタンド１が構成される。
【００１６】
シート体１０は、折曲線１１に沿って折り曲げられる。シート体１０を折曲線１１に沿って折り曲げた一方の領域には、載置部２０が形成される。シート体１０を折曲線１１に沿って折り曲げた他方の領域には、スタンド部３０が形成される。
【００１７】
載置部２０の一方の面（折曲線１１による折曲方向と反対の面）は、イーゼルスタンド１の載置平面（図示略）に沿って載置される。スタンド部３０の一方の面（折曲線１１による折曲方向と反対の面）は、メッセージボード等の取付体（図示略）が取り付けられる。
【００１８】
載置部２０の他方の面（折曲線１１による折曲方向の面）と、スタンド部３０の他方の面（折曲線１１による折曲方向の面）は、折曲線１１による折り曲げによって互いに接近した状態で対向している。以下の説明において、シート体１０を折曲線１１に沿って折り曲げると言ったときには、図１Ａ、図１Ｂ及び図３Ａ〜図３Ｃに示すように、載置部２０とスタンド部３０の他方の面（折曲線１１による折曲方向の面）どうしが互いに接近する方向に折り曲げることを意味する（折曲方向についても同様である）。
【００１９】
載置部２０は、当該載置部２０からスタンド部３０に向かって延びる載置部側腕部４０を有している。載置部側腕部４０は、載置部２０の中央部の一部をカットするとともに、当該カット部分を載置部側折曲線４１に沿って折り曲げることで形成されている。載置部側腕部４０の先端部（スタンド部３０側の端部）には、スリット４２が形成されており、このスリット４２の内部には、係合爪（単一の係合爪）４３が形成されている。
【００２０】
スタンド部３０は、当該スタンド部３０から載置部２０に向かって延びるスタンド部側腕部５０を有している。スタンド部側腕部５０は、スタンド部３０の中央部の一部をカットするとともに、当該カット部分をスタンド部側折曲線５１に沿って折り曲げることで形成されている。スタンド部側腕部５０の先端部（載置部２０側の端部）には、係合孔（単一の係合孔）５２が形成されている。
【００２１】
以上のように構成されたイーゼルスタンド１は、次のようにして組み立てる。
【００２２】
図３Ａに示すように、シート体１０の載置部２０から載置部側折曲線４１に沿って載置部側腕部４０を折り曲げるとともに、シート体１０のスタンド部３０からスタンド部側折曲線５１に沿ってスタンド部側腕部５０を折り曲げる。
【００２３】
図３Ｂに示すように、シート体１０を折曲線１１に沿って折り曲げることにより、載置部２０とスタンド部３０ひいては載置部側腕部４０とスタンド部側腕部５０を接近させる。
【００２４】
図３Ｃに示すように、載置部側腕部４０の係合爪（単一の係合爪）４３をスタンド部側腕部５０の係合孔（単一の係合孔）５２に係合することにより、載置部２０とスタンド部３０が所定の鋭角をなした状態で連結される。
【００２５】
ここで、従来のイーゼルスタンドは、静かに立っているだけの機能で十分であったが、例えば、売場での商品説明のためのメッセージボードを支持するために用いたときには、雑然とした環境に置かれるため、例えば、商品補充の邪魔になる、商品購入者の邪魔になる、清掃の邪魔になる、直ぐに倒れてしまうといった不具合が起こり易い。
【００２６】
これに対し、本実施形態では、シート体１０の載置部２０が床面積を広くとるとともに、イーゼルスタンド１の載置平面（図示略）に沿って載置される。このため、シート体１０の載置部２０の上面に倒れ防止用の重り（図示略）を置き、且つ／又は、シート体１０の載置部２０の下面（載置面）に倒れ防止用の接着剤を塗布することができる。また、載置部側腕部４０の係合爪４３をスタンド部側腕部５０の係合孔５２に係合することにより、載置部２０とスタンド部３０が所定の鋭角をなした状態で連結される。このため、イーゼルスタンド１の重心を後方にして、イーゼルスタンド１の倒れ（特に前倒れ）を防止することができる。このように、イーゼルスタンド１を正しい設置姿勢から倒れにくく安定させることができる。さらに、スタンド部３０の一方の面（折曲線１１による折曲方向と反対の面）である表示板の角度を決めるトラス構造のシンプルさと組み立ての容易さを実現することができる。
【００２７】
≪第２実施形態≫
図４、図５を参照して、第２実施形態に係るイーゼルスタンド１について説明する。第１実施形態と同一の構成部分については、同一の符号を付して、重複する説明を省略する。
【００２８】
第１実施形態では、載置部側腕部４０に係合爪４３が形成されており、スタンド部側腕部５０に係合孔５２が形成されていたが、第２実施形態では、係合爪と係合孔の位置関係を逆にしている。また、係合孔を複数設けて、係合爪を複数の係合孔のいずれかに選択的に係合可能としている。
【００２９】
スタンド部側腕部５０の先端部（載置部２０側の端部）には、スリット５３が形成されており、このスリット５３の先端部（載置部２０側の端部）には、スリット５３の内側にせりだすように係合爪（単一の係合爪）５４が形成されている。
【００３０】
載置部側腕部４０の先端部（スタンド部３０側の端部）には、３つの係合孔（複数の係合孔）４４Ａ、４４Ｂ、４４Ｃが形成されている。３つの係合孔４４Ａ〜４４Ｃは、シート体１０の折曲線１１と平行な方向の位置を略同一として、シート体１０の折曲線１１と直交する方向の位置を異ならせて配置されている。最も先端側（スタンド部側腕部５０の係合爪５４に近い側）に係合孔４４Ａが配置されており、最も基端側（スタンド部側腕部５０の係合爪５４から遠い側）に係合孔４４Ｃが配置されており、係合孔４４Ａと係合孔４４Ｃの間に係合孔４４Ｂが配置されている。
【００３１】
本実施形態では、スタンド部側腕部５０の係合爪（単一の係合爪）５４を載置部側腕部４０の３つの係合孔（複数の係合孔）４４Ａ〜４４Ｃのいずれかに選択的に係合することにより、載置部２０とスタンド部３０がなす角度（鋭角）を変更することができる。例えば、係合爪５４を係合孔４４Ａに係合することにより、載置部２０とスタンド部３０がなす角度（鋭角）を最も大きくし、係合爪５４を係合孔４４Ｃに係合することにより、載置部２０とスタンド部３０がなす角度（鋭角）を最も小さくし、係合爪５４を係合孔４４Ｂに係合することにより、載置部２０とスタンド部３０がなす角度（鋭角）を最大と最小の中間とすることができる。図５では、係合爪５４を係合孔４４Ｂに係合した状態を実線で描くとともに、係合爪５４を係合孔４４Ａ、４４Ｃに係合した状態を仮想線（二点鎖線）で描いている。このように、載置部２０とスタンド部３０がなす角度（鋭角）を変更可能とすることで、例えば、売場の棚の上下方向の中間部（直立した人間の目線に合う高さ）にイーゼルスタンド１を設置する場合は、載置部２０とスタンド部３０がなす角度を最大にする一方、売場の棚の下方にイーゼルスタンド１を設置する場合は、載置部２０とスタンド部３０がなす角度を最小にして、イーゼルスタンド１に取り付けられるメッセージボード等の表示内容を視認しやすくすることができる。
【００３２】
≪第３実施形態≫
図６、図７を参照して、第３実施形態に係るイーゼルスタンド１について説明する。第１実施形態と同一の構成部分については、同一の符号を付して、重複する説明を省略する。
【００３３】
第１実施形態では、スタンド部側腕部５０に単一の係合孔５２が形成されていたが、第３実施形態では、スタンド部側腕部５０に３つの係合孔（複数の係合孔）５５Ａ、５５Ｂ、５５Ｃが形成されている。３つの係合孔５５Ａ〜５５Ｃは、シート体１０の折曲線１１と平行な方向の位置と、シート体１０の折曲線１１と直交する方向の位置とをそれぞれ異ならせて配置されている。
【００３４】
本実施形態では、載置側腕部４０の係合爪（単一の係合爪）４３を、スタンド側腕部５０の３つの係合孔（複数の係合孔）５５Ａ、５５Ｂ、５５Ｃのいずれかに選択的に係合することにより、載置部２０とスタンド部３０がなす角度（鋭角）を変更することができる。例えば、係合爪４３を係合孔５５Ａに係合することにより、載置部２０とスタンド部３０がなす角度（鋭角）を最も大きくし、係合爪４３を係合孔５５Ｃに係合することにより、載置部２０とスタンド部３０がなす角度（鋭角）を最も小さくし、係合爪４３を係合孔５５Ｂに係合することにより、載置部２０とスタンド部３０がなす角度（鋭角）を最大と最小の中間とすることができる。図７では、係合爪４３を係合孔５５Ｂに係合した状態を実線で描くとともに、係合爪４３を係合孔５５Ａ、５５Ｃに係合した状態を仮想線（二点鎖線）で描いている。このように、載置部２０とスタンド部３０がなす角度（鋭角）を変更可能とすることで、例えば、売場の棚の上下方向の中間部（直立した人間の目線に合う高さ）にイーゼルスタンド１を設置する場合は、載置部２０とスタンド部３０がなす角度を最大にする一方、売場の棚の下方にイーゼルスタンド１を設置する場合は、載置部２０とスタンド部３０がなす角度を最小にして、イーゼルスタンド１に取り付けられるメッセージボード等の表示内容を視認しやすくすることができる。
【００３５】
≪第４実施形態≫
図８を参照して、第４実施形態に係るイーゼルスタンド１について説明する。第４実施形態は、第１実施形態の載置部２０とスタンド部３０の位置を入れ替えて、載置部６０とスタンド部７０としたものである。
【００３６】
載置部６０は、当該載置部６０からスタンド部７０に向かって延びる載置部側腕部８０を有している。載置部側腕部８０は、載置部６０の中央部の一部をカットするとともに、当該カット部分を載置部側折曲線８１に沿って折り曲げることで形成されている。載置部側腕部８０の先端部（スタンド部７０側の端部）には、係合孔（単一の係合孔）８２が形成されている。
【００３７】
スタンド部７０は、当該スタンド部７０から載置部６０に向かって延びるスタンド部側腕部９０を有している。スタンド部側腕部９０は、スタンド部７０の中央部の一部をカットするとともに、当該カット部分をスタンド部側折曲線９１に沿って折り曲げることで形成されている。スタンド部側腕部９０の先端部（載置部６０側の端部）には、スリット９２が形成されており、このスリット９２の内部には、係合爪（単一の係合爪）９３が形成されている。
【００３８】
スタンド部側腕部９０の係合爪（単一の係合爪）９３を載置部側腕部８０の係合孔（単一の係合孔）８２に係合することにより、載置部６０とスタンド部７０が所定の鋭角をなした状態で連結される。
【００３９】
≪第５実施形態≫
図９を参照して、第５実施形態に係るイーゼルスタンド１について説明する。第５実施形態は、第２実施形態の載置部２０とスタンド部３０の位置を入れ替えて、載置部１００とスタンド部１１０としたものである。
【００４０】
載置部１００は、当該載置部１００からスタンド部１１０に向かって延びる載置部側腕部１２０を有している。載置部側腕部１２０は、載置部１００の中央部の一部をカットするとともに、当該カット部分を載置部側折曲線１２１に沿って折り曲げることで形成されている。載置部側腕部１２０の先端部（スタンド部１１０側の端部）には、スリット１２２が形成されており、このスリット１２２の先端部（スタンド部１１０側の端部）には、スリット１２２の内側にせりだすように係合爪（単一の係合爪）１２３が形成されている。
【００４１】
スタンド部１１０は、当該スタンド部１１０から載置部１００に向かって延びるスタンド部側腕部１３０を有している。スタンド部側腕部１３０は、スタンド部１１０の中央部の一部をカットするとともに、当該カット部分をスタンド部側折曲線１３１に沿って折り曲げることで形成されている。スタンド部側腕部１３０の先端部（載置部１００側の端部）には、３つの係合孔（複数の係合孔）１３２Ａ、１３２Ｂ、１３２Ｃが形成されている。３つの係合孔１３２Ａ〜１３２Ｃは、シート体１０の折曲線１１と平行な方向の位置を略同一として、シート体１０の折曲線１１と直交する方向の位置を異ならせて配置されている。最も先端側（載置部側腕部１２０の係合爪１２３に近い側）に係合孔１３２Ａが配置されており、最も基端側（載置部側腕部１２０の係合爪１２３から遠い側）に係合孔１３２Ｃが配置されており、係合孔１３２Ａと係合孔１３２Ｃの間に係合孔１３２Ｂが配置されている。
【００４２】
本実施形態では、載置部側腕部１２０の係合爪（単一の係合爪）１２３をスタンド部側腕部１３０の３つの係合孔（複数の係合孔）１３２Ａ〜１３２Ｃのいずれかに選択的に係合することにより、載置部１００とスタンド部１１０がなす角度（鋭角）を変更することができる。例えば、係合爪１２３を係合孔１３２Ａに係合することにより、載置部１００とスタンド部１１０がなす角度（鋭角）を最も大きくし、係合爪１２３を係合孔１３２Ｃに係合することにより、載置部１００とスタンド部１１０がなす角度（鋭角）を最も小さくし、係合爪１２３を係合孔１３２Ｂに係合することにより、載置部１００とスタンド部１１０がなす角度（鋭角）を最大と最小の中間とすることができる。
【００４３】
≪第６実施形態≫
図１０を参照して、第６実施形態に係るイーゼルスタンド１について説明する。第６実施形態は、第３実施形態の載置部２０とスタンド部３０の位置を入れ替えて、載置部１４０とスタンド部１５０としたものである。
【００４４】
載置部１４０は、当該載置部１４０からスタンド部１５０に向かって延びる載置部側腕部１６０を有している。載置部側腕部１６０は、載置部１４０の中央部の一部をカットするとともに、当該カット部分を載置部側折曲線１６１に沿って折り曲げることで形成されている。載置部側腕部１６０には、３つの係合孔（複数の係合孔）１６２Ａ、１６２Ｂ、１６２Ｃが形成されている。３つの係合孔１６２Ａ〜１６２Ｃは、シート体１０の折曲線１１と平行な方向の位置と、シート体１０の折曲線１１と直交する方向の位置とをそれぞれ異ならせて配置されている。
【００４５】
スタンド部１５０は、当該スタンド部１５０から載置部１４０に向かって延びるスタンド部側腕部１７０を有している。スタンド部側腕部１７０は、スタンド部１５０の中央部の一部をカットするとともに、当該カット部分をスタンド部側折曲線１７１に沿って折り曲げることで形成されている。スタンド部側腕部１７０の先端部（載置部１４０側の端部）には、スリット１７２が形成されており、このスリット１７２の内部には、係合爪（単一の係合爪）１７３が形成されている。
【００４６】
本実施形態では、スタンド部側腕部１７０の係合爪（単一の係合爪）１７３を載置部側腕部１６０の３つの係合孔（複数の係合孔）１６２Ａ〜１６２Ｃのいずれかに選択的に係合することにより、載置部１４０とスタンド部１５０がなす角度（鋭角）を変更することができる。例えば、係合爪１７３を係合孔１６２Ａに係合することにより、載置部１４０とスタンド部１５０がなす角度（鋭角）を最も大きくし、係合爪１７３を係合孔１６２Ｃに係合することにより、載置部１４０とスタンド部１５０がなす角度（鋭角）を最も小さくし、係合爪１７３を係合孔１６２Ｂに係合することにより、載置部１４０とスタンド部１５０がなす角度（鋭角）を最大と最小の中間とすることができる。
【００４７】
なお、第２実施形態、第３実施形態、第５実施形態及び第６実施形態では、載置側腕部又はスタンド側腕部に複数の係合孔を設けているが、複数の係合孔の数や配置等には自由度があり、種々の設計変更が可能である。例えば、複数の係合孔は、２つ又は４つ以上であってもよい。また、複数の係合孔は、シート体１０の折曲線１１と平行な方向と折曲線１１と直交する方向の少なくとも一方の位置を異ならせて配置されていてもよい。
【符号の説明】
【００４８】
１  イーゼルスタンド
１０  シート体
１１  折曲線
２０  載置部
３０  スタンド部
４０  載置部側腕部
４１  載置部側折曲線
４２  スリット
４３  係合爪（単一の係合爪）
４４Ａ  ４４Ｂ  ４４Ｃ  係合孔（複数の係合孔）
５０  スタンド部側腕部
５１  スタンド部側折曲線
５２  係合孔（単一の係合孔）
５３  スリット
５４  係合爪（単一の係合爪）
５５Ａ  ５５Ｂ  ５５Ｃ  係合孔（複数の係合孔）
６０  載置部
７０  スタンド部
８０  載置部側腕部
８１  載置部側折曲線
８２  係合孔（単一の係合孔）
９０  スタンド部側腕部
９１  スタンド部側折曲線
９２  スリット
９３  係合爪（単一の係合爪）
１００  載置部
１１０  スタンド部
１２０  載置部側腕部
１２１  載置部側折曲線
１２２  スリット
１２３  係合爪（単一の係合爪）
１３０  スタンド部側腕部
１３１  スタンド部側折曲線
１３２Ａ  １３２Ｂ  １３２Ｃ  係合孔（複数の係合孔）
１４０  載置部
１５０  スタンド部
１６０  載置部側腕部
１６１  載置部側折曲線
１６２Ａ  １６２Ｂ  １６２Ｃ  係合孔（複数の係合孔）
１７０  スタンド部側腕部
１７１  スタンド部側折曲線
１７２  スリット
１７３  係合爪（単一の係合爪）
【図１】
0003218718.tif 000003
【図２】
0003218718.tif 000004
【図３】
0003218718.tif 000005
【図４】
0003218718.tif 000006
【図５】
0003218718.tif 000007
【図６】
0003218718.tif 000008
【図７】
0003218718.tif 000009
【図８】
0003218718.tif 000010
【図９】
0003218718.tif 000011
【図１０】
0003218718.tif 000012